(57)【要約】【課題】  ユーザが原稿画像の綴じ方向や、画像の向きを意識して設定入力する必要がなく、その操作にかかる負担を低減することが可能な画像処理装置、画像読取装置、及び画像形成装置を提供する。【解決手段】  入力された画像データを記憶する記憶部と、記憶部に記憶された画像データから原稿上における画像の形成方向を判定する画像方向判定部と、画像方向判定部による判定結果に基づき画像データを編集する画像データ編集部とを備えた画像処理装置、画像処理装置の構成にさらに原稿の表裏両面上の画像を読み取り、画像データとして出力する読取部を備えた画像読取装置、及び、画像読取装置の構成にさらに記録媒体の表裏両面上に画像を形成する画像形成部とを備えた画像形成装置。【選択図】  図１
2011203393.tif 000002
【特許請求の範囲】
【請求項１】
入力された画像データを記憶する記憶部と、
前記記憶部に記憶された前記画像データから原稿上における画像の形成方向を判定する画像方向判定部と、
前記画像方向判定部による判定結果に基づき前記画像データを編集する画像データ編集部とを備えること
を特徴とする画像処理装置。
【請求項２】
前記画像方向判定部による判定結果に基づき、予め設定された複数の画像編集方法から一の画像編集方法を抽出する画像編集方法抽出部を備えること
を特徴とする請求項１記載の画像処理装置。
【請求項３】
前記画像方向判定部は、
ＯＣＲ（Ｏｐｔｉｃａｌ  Ｃｈａｒａｃｔｅｒ  Ｒｅａｄｅｒ）機能で文字認識することにより前記原稿上における前記画像の形成方向を判定すること
を特徴とする請求項１、又は請求項２記載の画像処理装置。
【請求項４】
前記画像方向判定部は、
前記画像データにおける縦と横のラインの文字間の認識度合いにより前記原稿上における前記画像の形成方向を判定すること
を特徴とする請求項１、又は請求項２記載の画像処理装置。
【請求項５】
前記画像方向判定部は、
前記画像の枠線と各辺の長さで前記原稿上における前記画像の形成方向を判定すること
を特徴とする請求項１、又は請求項２記載の画像処理装置。
【請求項６】
原稿の表裏両面上の画像を読み取り、画像データとして出力する読取部と、
前記読取部により入力された前記画像データを記憶する記憶部と、
前記記憶部に記憶された前記画像データから前記原稿上における前記画像の形成方向を判定する画像方向判定部と、
前記画像方向判定部による判定結果に基づき前記画像データを編集する画像データ編集部とを備えること
を特徴とする画像読取装置。
【請求項７】
前記画像方向判定部による判定結果に基づき、予め設定された複数の画像編集方法から一の画像編集方法を抽出する画像編集方法抽出部を備えること
を特徴とする請求項６記載の画像読取装置。
【請求項８】
前記画像方向判定部は、
ＯＣＲ（Ｏｐｔｉｃａｌ  Ｃｈａｒａｃｔｅｒ  Ｒｅａｄｅｒ）機能で文字認識することにより前記原稿上における前記画像の形成方向を判定すること
を特徴とする請求項６、又は請求項７記載の画像読取装置。
【請求項９】
前記画像方向判定部は、
前記画像データにおける縦と横のラインの文字間の認識度合いにより前記原稿上における前記画像の形成方向を判定すること
を特徴とする請求項６、又は請求項７記載の画像読取装置。
【請求項１０】
前記画像方向判定部は、
前記画像の枠線と各辺の長さで前記原稿上における前記画像の形成方向を判定すること
を特徴とする請求項６、又は請求項７記載の画像読取装置。
【請求項１１】
原稿の表裏両面上の画像を読み取り、画像データとして出力する読取部と、
前記読取部により入力された前記画像データを記憶する記憶部と、
前記記憶部に記憶された前記画像データから前記原稿上における前記画像の形成方向を判定する画像方向判定部と、
前記画像方向判定部による判定結果に基づき前記画像データを編集する画像データ編集部と、
記録媒体の表裏両面上に画像を形成する画像形成部とを備えること
を特徴とする画像形成装置。
【請求項１２】
前記画像方向判定部による判定結果に基づき、予め設定された複数の画像編集方法から一の画像編集方法を抽出する画像編集方法抽出部を備えること
を特徴とする請求項１１記載の画像形成装置。
【請求項１３】
前記画像方向判定部は、
ＯＣＲ（Ｏｐｔｉｃａｌ  Ｃｈａｒａｃｔｅｒ  Ｒｅａｄｅｒ）機能で文字認識することにより前記原稿上における前記画像の形成方向を判定すること
を特徴とする請求項１１、又は請求項１２記載の画像形成装置。
【請求項１４】
前記画像方向判定部は、
前記画像データにおける縦と横のラインの文字間の認識度合いにより前記原稿上における前記画像の形成方向を判定すること
を特徴とする請求項１１、又は請求項１２記載の画像形成装置。
【請求項１５】
前記画像方向判定部は、
前記画像の枠線と各辺の長さで前記原稿上における前記画像の形成方向を判定すること
を特徴とする請求項１１、又は請求項１２記載の画像形成装置。
【発明の詳細な説明】
【技術分野】
【０００１】
本発明は、画像処理装置、画像読取装置、及び画像形成装置に関するものである。
【背景技術】
【０００２】
従来、原稿上に形成された画像を読み取って記録紙等に複写する場合、原稿上の画像が左右綴じか、又は上下綴じかの何れかの設定を受け付け、その設定された綴じ方向に連動して、自動的に記録紙へ複写する綴じ方向を設定する複写装置があった（例えば、特許文献１参照）。
【先行技術文献】
【特許文献】
【０００３】
【特許文献１】特開２００５−１４０９９８号公報
【発明の概要】
【発明が解決しようとする課題】
【０００４】
しかしながら、上記複写装置のような構成の場合、ユーザは、原稿画像の綴じ方向や、原稿上の画像形成方向（以下、画像の向きと称することがある）、を意識して設定入力する必要があるため、その操作に負担が生じていた。また、原稿や記録紙として、Ａ３サイズやＢ４サイズといった、縦置き、若しくは横置きを切り替えてセットする必要があるような大きなサイズの原稿や記録紙を取り扱う場合や、複数頁分の画像を１頁に集約して印刷する集約機能、両面読取・両面印刷機能等をも考慮に入れると、ユーザが期待する印刷結果を得るまでにかかる操作には大きな負担が生じていた。
【０００５】
本発明はこのような実情に鑑みてなされたものであり、本発明の課題は、ユーザが原稿画像の綴じ方向や、画像の向きを意識して設定入力する必要がなく、その操作にかかる負担を低減することが可能な画像処理装置、画像読取装置、及び画像形成装置を提供することを目的とする。
【課題を解決するための手段】
【０００６】
上記課題を解決するために、本発明にかかる画像処理装置は、入力された画像データを記憶する記憶部と、記憶部に記憶された画像データから原稿上における画像の形成方向を判定する画像方向判定部と、画像方向判定部による判定結果に基づき画像データを編集する画像データ編集部とを備えることを特徴とする。
【０００７】
また、本発明にかかる画像読取装置は、原稿の表裏両面上の画像を読み取り、画像データとして出力する読取部と、読取部により入力された画像データを記憶する記憶部と、記憶部に記憶された画像データから原稿上における画像の形成方向を判定する画像方向判定部と、画像方向判定部による判定結果に基づき画像データを編集する画像データ編集部とを備えることを特徴とする。
【０００８】
さらに、本発明にかかる画像形成装置は、原稿の表裏両面上の画像を読み取り、画像データとして出力する読取部と、読取部により入力された画像データを記憶する記憶部と、記憶部に記憶された画像データから原稿上における画像の形成方向を判定する画像方向判定部と、画像方向判定部による判定結果に基づき画像データを編集する画像データ編集部と、記録媒体の表裏両面上に画像を形成する画像形成部とを備えることを特徴とする。
【発明の効果】
【０００９】
本発明によれば、ユーザが原稿画像の綴じ方向や、画像の向きを意識して設定入力する必要がなく、その操作にかかる負担を低減させることが可能な画像処理装置、画像読取装置、及び画像形成装置を提供することができる。
【図面の簡単な説明】
【００１０】
【図１】画像形成装置の機能構成を説明するためのブロック図である。
【図２】画像形成装置の全体像を示す斜視図である。
【図３】ＡＤＦを説明する図である。
【図４】原稿の向きを説明する図である。
【図５−Ａ】画像編集方法抽出表を説明する表である。
【図５−Ｂ】画像編集方法抽出表を説明する表である。
【図５−Ｃ】画像編集方法抽出表を説明する表である。
【図５−Ｄ】画像編集方法抽出表を説明する表である。
【図５−Ｅ】画像編集方法抽出表を説明する表である。
【図６】画像編集方法Ｎｏ．４３に対応する一例を図示化したもである。
【図７】オペレーションパネルの構成例を説明する図である。
【図８】記録紙トレイを説明する図である。
【図９】画像形成装置が実行する動作全体の流れを説明するフローチャートである。
【図１０】画像方向判定部による画像の向きにかかる判定動作を示した図である。
【図１１−Ａ】画像方向判定部による画像の向きにかかる判定動作を示した図である。
【図１１−Ｂ】画像方向判定部による画像の向きにかかる判定動作を示した図である。
【図１２】画像編集方法抽出部による画像編集方法の抽出動作にかかる動作を説明するフローチャートである。
【図１３】画像形成装置の機能構成を説明するためのブロック図である。
【図１４】画像方向判定部による画像の向きにかかる判定動作を示した図である。
【図１５】文字間認識部による文字間認識処理を説明する図である。
【図１６】画像形成装置が実行する動作全体の流れを説明するフローチャートである。
【発明を実施するための形態】
【００１１】
以下、本発明の実施形態について図面を参照して説明する。なお、本発明は以下の記述に限定されるものではなく、本発明の要旨を逸脱しない範囲において適宜変更可能である。
【００１２】
[第１の実施形態]
第１の実施形態の説明においては、読取部としての読取装置と画像形成部としての印刷装置とを備えるコピー装置を画像形成装置１００の一形態として説明する。画像形成装置１００は、読取装置で原稿上の画像を読み取り、読み取った画像を印刷装置で記録紙に複写することができる。
【００１３】
図１は、画像形成装置１００の機能構成を説明するためのブロック図である。図１に示されるように、画像形成装置１００は、読取装置１０１と、印刷装置２０１とを備える。また、図２は、画像形成装置１００の全体像を示す斜視図である。画像形成装置１００の上部には、後述するＡＤＦ（Auto Document Feeder）に給紙される原稿を載置するための原稿給紙トレイ１０１−２が形成されている。そして、原稿給紙トレイ１０１−２には、図２中矢印方向にスライド可能なガイド１０１−１が設けられており、原稿給紙トレイ１０１−２に載置する種々のサイズの原稿を挟持固定することができる。このような構成を備える画像形成装置１００の読取装置１０１、及び印刷装置２０１について以下に説明する。
【００１４】
読取装置１０１は、読取部１０２と、ＡＤＦ制御部１０３と、画像メモリ１０４と、文字認識部１０５と、原稿サイズ認識部１０６と、原稿方向判定部１０７と、外部Ｉ／Ｆ１０８と、画像編集方法抽出表１０９と、画像編集方法抽出部１１０と、画像データ編集部１１１と、設定記憶部１１２と、オペレーションパネル１１３と、ＲＯＭ（Read Only Memory）１１４と、ＣＰＵ（Central Processing Unit）１１５とを備え、それぞれの各部材は共通バス１１６によって接続されている。
【００１５】
読取部１０２は、ＡＤＦを備え、当該ＡＤＦを使用して原稿の表裏両面上の画像を読み取るとともに、読み取った画像に基づく画像データを生成し、画像メモリ１０４に記憶させる。
【００１６】
ここで、読取部１０２としてのＡＤＦについて、図３を用いて説明する。ＡＤＦは、原稿が原稿給紙トレイ１０１−２に載置されたことを検知する長さセンサ１０２−１と、ガイド１０１−１のスライド動作に連動し、原稿給紙トレイ１０１−２に原稿が載置されたことを検知する幅センサ１０２−２と、原稿が載置されていることを幅センサ１０２−２が検知し、且つ、ユーザにより、後述するオペレーションパネル１１３のスタートボタン１１３−６が押され、読み取り動作の実行命令が入力されたときに原稿をＡＤＦ内部に搬送するために回転するピックアップローラ１０２−３と、ピックアップローラ１０２−３の回転起動時に回転するスキャンローラ１０２−４、１０２−５、１０２−６、１０２−７、及び１０２−８と、原稿の読み取り開始タイミングを計るスキャンセンサ１０２−９と、少なくとも、原稿に光を照射する光源と原稿により反射された光を集光するレンズとレンズで集光された光を光電変換し、画像に応じた電圧を発生する、ＣＣＤ（Charge Coupled Device）等の光電変換素子とを備える読取センサ１０２−１０と、両面読み取り時に原稿の読み取り面を反転させて原稿搬送路に搬送するための原稿反転経路スイッチ１０２−１１とを備える。
【００１７】
ＡＤＦ制御部１０３は、ＣＰＵ１１５からの命令に基づき読取部１０２を統括的に制御する。
【００１８】
画像メモリ１０４は、例えば、ＲＡＭ（Random Access Memory）等の揮発性記憶装置から構成され、読取部１０２が生成した画像データを一時的に記憶する。なお、本実施形態における画像メモリ１０４のメモリサイズは、少なくとも６００ｄｐｉでＡ３サイズを２頁分のデータを記憶できるものとする。
【００１９】
文字認識部１０５は、ＯＣＲ（Optical Character Reader）を使用して、画像メモリ１０４に一時的に記憶されている画像データの文字イメージよりパターンを照合して文字を認識する。そして、文字認識部１０５は、認識した文字数を読取部１０２の読取センサ１０２−１０の副走査方向に対して左へ９０度回転した文字、同右へ回転した文字、同回転無しの文字、同１８０度回転した文字毎の方向別に、且つ、表面・裏面別々に画像方向判定部１０７に出力する。なお、読み取り対象面が一面の場合には、文字認識部１０５は、他面にかかる文字数情報は画像方向判定部１０７に出力しない。
【００２０】
原稿サイズ認識部１０６は、読取部１０２の長さセンサ１０２−１と、ガイド１０１−１のスライド動作に連動した幅センサ１０２−２により検出された結果に基づき、原稿給紙トレイ１０１−２に載置された原稿の原稿サイズと原稿の向きを認識する。
【００２１】
画像方向判定部１０７は、文字認識部１０５から入力された方向別の認識文字数と原稿サイズ認識部１０６により認識された原稿の向きとから、原稿上の画像形成方向、すなわち画像の向きを表面・裏面のそれぞれで判定する。なお、本実施形態における原稿の向きは、図４に示すように、ＬＥＦ（Long Edge Feed）、又はＳＥＦ（Short Edge Feed）と定義するものとする。
【００２２】
画像方向判定部１０７による画像の向き判定は以下のように行う。なお、本実施形態においては、３パス方式の両面読み取り機構の場合（裏面の読み取り方向は表面の読み取り方向とは逆方向）を想定している。
【００２３】
画像の向きをＰｏｒｔｒａｉｔ（縦向き）、若しくはＬａｎｄｓｃａｐｅ（横向き）の何れかに判定する場合について説明する。画像の向きをＰｏｒｔｒａｉｔと判定する場合は、以下のＰ１〜Ｐ４の４パターンがある。
（Ｐ１）原稿の向きがＬＥＦであり、且つ、右へ９０度回転した認識文字数が一番多い場合。（Ｐ２）原稿の向きがＬＥＦであり、且つ、左へ９０度回転した認識文字数が一番多い場合。（Ｐ３）原稿の向きがＳＥＦであり、且つ、回転無しの認識文字数が一番多い場合。
（Ｐ４）原稿の向きがＳＥＦであり、且つ、１８０度回転した認識文字数が一番多い場合。
【００２４】
また、画像の向きをＬａｎｄｓｃａｐｅと判定する場合は、以下のＬ１〜Ｌ４の４パターンがある。
（Ｌ１）原稿の向きがＬＥＦであり、且つ、回転無しの認識文字数が一番多い場合。
（Ｌ２）原稿の向きがＬＥＦであり、且つ、１８０度回転した認識文字数が一番多い場合。
（Ｌ３）原稿の向きがＳＥＦであり、且つ、右へ９０度回転した認識文字数が一番多い場合。（Ｌ４）原稿の向きがＳＥＦであり、且つ、左へ９０度回転した認識文字数が一番多い場合。
【００２５】
また、画像方向判定部１０７は、表面と裏面との両面の画像の向きを判定した場合には、それぞれの画像の向きにより原稿の綴じ方向の判定も行う。
【００２６】
原稿の綴じ方向を左右綴じ、若しくは上下綴じの何れかに判定する場合について説明する。原稿の綴じ方向を左右綴じと判定する場合は、以下のＬＲ１〜ＬＲ４の４パターンがある。
（ＬＲ１）原稿の向きがＬＥＦであり、且つ、表面・裏面の画像の向きがＰｏｒｔｒａｉｔである場合。
（ＬＲ２）原稿の向きがＳＥＦであり、且つ、表面の画像の向きがＰ３パターンの判定により
Ｐｏｒｔｒａｉｔであり、且つ、裏面の画像の向きがＰ４パターンの判定によりＰｏｒｔｒａｉｔである場合。
（ＬＲ３）原稿の向きがＬＥＦであり、且つ、表面の画像の向きがＬ１パターンの判定によりＬａｎｄｓｃａｐｅであり、且つ、裏面の画像の向きがＬ２パターンの判定によりＬａｎｄｓｃａｐｅである場合。
（ＬＲ４）原稿の向きがＳＥＦであり、且つ、表面・裏面の画像の向きがＬａｎｄｓｃａｐｅである場合。
【００２７】
また、原稿の綴じ方向を上下綴じと判定する場合には、以下のＵＤ１〜ＵＤ４の４パターンがある。
（ＵＤ１）原稿の向きがＬＥＦであり、且つ、表面の画像の向きがＰ１パターンの判定によりＰｏｒｔｒａｉｔであり、且つ、裏面の画像の向きがＰ２パターンの判定によりＰｏｒｔｒａｉｔである場合。
（ＵＤ２）原稿の向きがＳＥＦであり、且つ、表面・裏面の画像の向きがＰｏｒｔｒａｉｔである場合。
（ＵＤ３）原稿の向きがＬＥＦであり、且つ、表面・裏面の画像の向きがＬａｎｄｓｃａｐｅである場合。
（ＵＤ４）原稿の向きがＳＥＦであり、且つ、表面の画像の向きがＬ３パターンの判定によりＬａｎｄｓｃａｐｅであり、且つ、裏面の画像の向きがＬ４パターンの判定によりＬａｎｄｓｃａｐｅである場合。
【００２８】
そして、上記何れにも当てはまらない場合では、期待通りの印刷結果を得ることができないので、画像方向判定部１０７は、左右綴じと判定する。
【００２９】
外部Ｉ／Ｆ１０８は、例えば、ＵＳＢ（Universal Serial Bus）１．１、又は２．０の仕様に則って読取装置１０１と印刷装置２０１との間でＵＳＢケーブル１１７を介してデータを送受信するインタフェースである。
【００３０】
画像編集方法抽出表１０９は、図５−Ａ、図５−Ｂ、図５−Ｃ、図５−Ｄ、及び図５−Ｅに示すように、原稿の種類（原稿の向き、画像の向き、及び綴じ方向）と、原稿の複写時における応用機能設定（集約設定の設定値や、両面読取・両面印刷の設定値）と、画像が複写される記録紙の向きにより、期待通りの印刷結果が得られる印刷画像の綴じ方向を選択して一覧とした表である。なお、左右綴じ、若しくは上下綴じの何れも選択することができる場合は、画像処理として回転処理を施さない方の綴じ方が予め選択されている。そして、どちらも回転処理を伴わない、あるいはどちらも回転処理を伴う場合は、左右綴じが予め選択されている。なお、図６は、図５のＮｏ．４３に対応する一例を図示化したものである。
【００３１】
画像編集方法抽出部１１０は、画像方向判定部１０７により判定された画像の向き、及び綴じ方向と、原稿サイズ認識部１０６により認識された原稿の向きと、設定記憶部１１２に記憶されている原稿の複写時における応用機能設定の設定値と、外部Ｉ／Ｆ１０８を経由して取得した後述する印刷装置２０１の記録紙サイズ認識部２０２により認識された記録紙の向きとから、画像編集方法抽出表１０９から最適の画像編集方法を抽出する。なお、ここで、期待通りの印刷結果を得られない場合、画像編集方法抽出部１１０は、左右綴じを選択する。
【００３２】
画像データ編集部１１１は、画像編集方法抽出部１１０により抽出された画像編集方法に基づき、画像メモリ１０４に記憶されている画像データを編集するとともに、編集した画像データを外部Ｉ／Ｆ１０８を介して印刷装置２０１の外部Ｉ／Ｆ２０４に送信する。
【００３３】
設定記憶部１１２は、例えば、フラッシュメモリ等の書き換え可能な記憶装置を備え、原稿サイズ認識部１０６により認識された原稿サイズ、及び原稿の向きと、印刷装置２０１の記録紙サイズ認識部２０２により認識された記録紙の向きと、ユーザによりオペレーションパネル１１３の各種ボタン操作を介して入力された原稿の複写時における応用機能設定の設定値等を記憶する。
【００３４】
オペレーションパネル１１３は、図７に示すような外観を有し、ユーザによる操作入力を受け付けるキー１１３−１〜１１３−５と、動作実行命令の入力を受け付けるスタートキー１１３−６と、動作実行のキャンセルを受け受けるキャンセルキー１１３−７と、装置の動作状況や、設定値一覧、エラー内容、又は処理内容等を表示するＬＣＤ（Liquid Crystal Display）等からのなる表示装置１１３−８とを備え、オペレーションパネル１１３を介してユーザにより入力された命令はＣＰＵ１１５に出力されるとともに、キー１１３−１〜１１３−５を用いて入力された設定値は設定記憶部１１２に記憶される。
【００３５】
ＲＯＭ１１４は、読取装置１０１の制御プログラムを記憶する不揮発性の記憶装置である。
【００３６】
ＣＰＵ１１５は、オペレーションパネル１１３を介してユーザにより入力された命令や、各種実行処理に基づき、ＲＯＭ１１４に記憶されている制御プログラムを実行することによって、読取装置１０１全体を統括的に制御するマイクロプロセッサである。
【００３７】
共通バス１１６は、読取装置１０１を構成する各部材を電気的に接続する信号線である。
【００３８】
次に、印刷装置２０１について説明する。印刷装置２０１は、記録紙サイズ認識部２０２と、印刷部２０３と、外部Ｉ／Ｆ２０４と、画像メモリ２０５と、ＲＯＭ２０６と、ＣＰＵ２０７とを備え、それぞれの各部材は共有バス２０８によって接続されている。
【００３９】
記録紙サイズ認識部２０２は、図８に示す、記録紙トレイ５−１に装着されているサイズダイアル５−２の設定位置情報に基づき、記録紙サイズと記録紙の向きを認識する。
【００４０】
印刷部２０３は、例えば、電子写真方式の印刷エンジンを備え、画像メモリ２０５に記憶されている画像データを記録紙に印刷する。
【００４１】
外部Ｉ／Ｆ２０４は、例えば、ＵＳＢ１．１、又は２．０の仕様に則って印刷装置２０１と読取装置１０１との間でＵＳＢケーブル１１７を介してデータを送受信するインタフェースである。
【００４２】
画像メモリ２０５は、例えば、ＲＡＭ等の揮発性記憶装置から構成され、外部Ｉ／Ｆ２０４を介して読取装置１０１から送信された画像データを記憶する。
【００４３】
ＲＯＭ２０６は、印刷装置２０１の制御プログラムを記憶する不揮発性の記憶装置である。
【００４４】
ＣＰＵ２０７は、各種実行処理に基づき、ＲＯＭ２０６に記憶されている制御プログラムを実行することによって、印刷装置２０１全体を統括的に制御するマイクロプロセッサである。
【００４５】
共通バス２０８は、印刷装置２０１を構成する各部材を電気的に接続する信号線である。
【００４６】
次に、上記構成を備える画像形成装置１００の動作について図９、図１０、図１１−Ａ、図１１−Ｂ、及び図１２を用いて説明する。図９は、図６に示すケースを一例に、画像形成装置１００が実行する動作全体の流れを説明するフローチャートである。図１０は、画像方向判定部１０７による画像の向きにかかる判定動作を示した図である。また、図１１−Ａは、画像方向判定部１０７によるＬＥＦ原稿の綴じ方向の判定動作を示した図であり、図１１−Ｂは、画像方向判定部１０７によるＳＥＦ原稿の綴じ方向の判定動作を示した図である。さらに、図１２は、画像編集方法抽出部１１０による画像編集方法の抽出動作にかかる動作を説明するフローチャートである。
【００４７】
まず、図９のステップＳ１０１において、ユーザは記録紙トレイ５−１にＡ４ＬＥＦサイズの記録紙をセットし、記録紙トレイ５−１に装着されているサイズダイアル５−２をＡ４ＬＥＦサイズに設定する。
【００４８】
次に、ユーザは、オペレーションパネル１１３を用いて、複写時における両面読取・両面印刷の設定値を「両面→両面」、集約設定の設定値を「２ｉｎ１」にセットする（ステップＳ１０２）。ここで、ユーザにより設定された設定値は、設定記憶部１１２に記憶される。
【００４９】
そして、ユーザは、原稿給紙トレイ１０１−２にＡ４ＳＥＬサイズの原稿を１頁目の表面が上となるようにセットする（ステップＳ１０３）。
【００５０】
次に、ユーザは、オペレーションパネル１１３のスタートボタン１１３−６を押すことにより、複写動作を開始させる（ステップＳ１０４）。
【００５１】
ステップＳ１０４において、ユーザによる複写動作の実行命令の入力を受け付けると、ＡＤＦ制御部１０３は、ＡＤＦを制御することにより、原稿上の画像を読み取らせるとともに、生成した画像データを画像メモリ１０４に記憶させる（ステップＳ１０５）。
【００５２】
画像メモリ１０４に画像データが記憶されると、文字認識部１０５は、ＯＣＲを使用して、画像メモリ１０４に一時的に記憶されている画像データの文字イメージよりパターンを照合して文字を認識する。そして、文字認識部１０５は、認識した文字数を読取部１０２の読取センサ１０２−１０の副走査方向に対して左へ９０度回転した文字、同右へ回転した文字、同回転無しの文字、同１８０度回転した文字毎の方向別に、且つ、表面・裏面別々に画像方向判定部１０７に出力する（ステップＳ１０６）。なお、図６に示す一例においては、表面は、回転無しの文字「１」の１文字と、裏面の１８０度回転した「２」の１文字がそれぞれ文字認識部１０５により認識され、当該文字数が画像方向判定部１０７に出力される（ステップＳ１０６）。
【００５３】
ここで、設定記憶部１１２には、複写時における両面読取・両面印刷の設定値が「両面→両面」に設定されているため、まだ、読取部１０２による裏面の読み取り動作が終了していない場合には、ステップＳ１０５に戻り、ＡＤＦ制御部１０３は読み取り動作を継続する。これに対して、裏面の読み取り動作が終了している場合、又は両面読取・両面印刷の設定値が「片面→両面、又は片面→片面」と設定されている場合には、ステップＳ１０８に移行する（ステップＳ１０７）。
【００５４】
次に、画像方向判定部１０７は、文字認識部１０５から入力された方向別の認識文字数と原稿サイズ認識部１０６により認識された原稿の向きとから、原稿上の画像の向きを表面・裏面のそれぞれで判定する。この判定動作は、図１０に示した要領に沿って実行される。
【００５５】
図６に示した一例においては、原稿の向きがＳＥＦであり、回転無し（回転角度＝０度）の文字が１文字認識されているので、画像方向判定部１０７は、表面画像の向きをＰｏｒｔｒａｉｔ（Ｐ３パターン）と判定する。また、同様に、原稿の向きがＳＥＦであり、１８０度回転の文字が１文字認識されているので、画像方向判定部１０７は、裏面画像の向きをＰｏｒｔｒａｉｔ（Ｐ４パターン）と判定する。
【００５６】
また、本実施形態においては、両面読み取り動作を実行しているので、画像方向判定部１０７は、引き続き原稿の綴じ方向の判定を図１１−Ａ、又は図１１−Ｂに示した要領に沿って実行する。
【００５７】
図６に示した一例においては、原稿の向きがＳＥＦであるため図１１−Ｂに示した要領に沿って綴じ方向の判定が実行される。具体的には、画像方向判定部１０７は、原稿の向きがＳＥＦ、表面の画像の向きがＰｏｒｔｒａｉｔであり、Ｐ３パターンで判定するところ、原稿の綴じ方向は、左右綴じと判定する（ステップＳ１０８）。
【００５８】
次に、画像編集方法抽出部１１０は、画像編集方法抽出表１０９から最適な画像編集方法を抽出する（ステップＳ１０９）。ここで、画像編集方法抽出部１１０が実行する抽出動作について、図１２のフローチャートを用いて説明する。
【００５９】
まず、ステップＳ１０９−１において、画像編集方法抽出部１１０は、設定記憶部１１２に記憶されている複写時の両面読取・両面印刷の設定値を確認する。本例においては、「両面→両面」が設定されている。
【００６０】
ここで、両面読取・両面印刷の設定値が「両面→両面」、又は「両面→片面」の場合（ステップＳ１０９−１  両面→両面ｏｒ両面→片面）、画像編集方法抽出部１１０による処理は、ステップＳ１０９−２に移行し、これに対して、両面読取・両面印刷の設定値が「片面→両面」、又は「片面→片面」の場合（ステップＳ１０９−１  片面→両面ｏｒ片面→片面）、画像編集方法抽出部１１０による処理は、ステップＳ１０９−３に移行する。
【００６１】
両面読取・両面印刷の設定値が「両面→両面」、又は「両面→片面」の場合（ステップＳ１０９−１  両面→両面ｏｒ両面→片面）、画像編集方法抽出部１１０は、原稿の綴じ方向を確認する（ステップＳ１０９−２）。本例においては、「左右綴じ」である。
【００６２】
両面読取・両面印刷の設定値が「片面→両面」、又は「片面→片面」の場合（ステップＳ１０９−１  片面→両面ｏｒ片面→片面）、又は、ステップＳ１０９−２において原稿の綴じ方向を確認した画像編集方法抽出部１１０は、画像の向きを確認する（ステップＳ１０９−３）。本例においては、「Ｐｏｒｔｒａｉｔ」である。
【００６３】
そして、ステップＳ１０９−４において、画像編集方法抽出部１１０は、原稿サイズ認識部１０６により認識された原稿の向きを確認する。本例では、「ＳＥＦ」である。
【００６４】
次に、画像編集方法抽出部１１０は、設定記憶部１１２に記憶されている原稿の複写時における集約設定の設定値を確認する（ステップＳ１０９−５）。本例では、「２ｉｎ１」を意味する「２」である。
【００６５】
次に、画像編集方法抽出部１１０は、記録紙サイズ認識部２０２により認識された記録紙の向きを外部Ｉ／Ｆ１０８経由で取得する（ステップＳ１０９−６）。本例では、「ＬＥＦ」である。
【００６６】
上記ステップＳ１０９−１からステップＳ１０９−６までに得られた情報に基づき、画像編集方法抽出部１１０は、画像編集方法抽出表１０９から最適の画像編集方法を抽出する（ステップＳ１０９−７）。本例では、「左右綴じ」が抽出される。
【００６７】
ステップＳ１０９−７で抽出した画像編集方法において、期待通りの印刷結果が得られた場合（ステップＳ１０９−８  Ｙｅｓ）、画像編集方法抽出部１１０は、抽出した結果が、「左右綴じ」と「上下綴じ」との両方か否かを確認する（ステップＳ１０９−１０）。
【００６８】
抽出した結果が、「左右綴じ」と「上下綴じ」との両方の場合（ステップＳ１０９−１０  Ｙｅｓ）、画像編集方法抽出部１１０は、「左右綴じ」、又は「上下綴じ」の画像編集処理として、どちらか一方、又は双方に画像回転処理が必要か否かを確認する（ステップＳ１０９−１１）。本例では、「左右綴じ」のみが抽出されたので、以降の処理は、ステップＳ１１０に移行する。
【００６９】
「左右綴じ」、又は「上下綴じ」の画像編集処理として、どちらか一方、又は双方に画像回転処理が必要である場合（ステップＳ１０９−１１  Ｙｅｓ）、画像編集方法抽出部１１０は、画像編集処理として画像回転処理を必要としない画像編集方法を選択して処理を終了する（ステップＳ１０９−１２）。
【００７０】
期待通りの印刷結果が得られなかった場合（ステップＳ１０９−８  Ｎｏ）、又は「左右綴じ」、又は「上下綴じ」の画像編集処理として、どちらか一方、又は双方に画像回転処理が必要でない場合（ステップＳ１０９−１１  Ｎｏ）、画像編集方法抽出部１１０は、画像編集方法を「左右綴じ」とし（ステップＳ１０９−９）、処理を終了する。
【００７１】
再び、図９に戻り、ステップＳ１１０において、画像データ編集部１１１は、画像編集方法抽出部１１０が抽出した画像編集方法に基づき画像メモリ１０４に記憶されている画像データを編集する。そして、画像データ編集部１１１は、編集した画像データを外部Ｉ／Ｆ１０８を介して印刷装置２０１の外部Ｉ／Ｆ２０４に送信する。
【００７２】
外部Ｉ／Ｆ２０４を介して受信した画像データは、画像メモリ２０５に記憶される。そして、印刷部２０３は、画像メモリ２０５に記憶されている画像データを記録紙に印刷する（ステップＳ１１１）。
【００７３】
そして、次原稿がある場合（ステップＳ１１２  Ｙｅｓ）、画像形成装置１００による処理は、ステップＳ１０５に移行する。これに対して、次原稿がない場合（ステップＳ１１２  Ｎｏ）、画像形成装置１００による処理は終了する。
【００７４】
以上のように、第１の実施形態によれば、ユーザが原稿画像の綴じ方向や、画像の向きを意識して設定入力する必要がなく、その操作にかかる負担を低減させることができる。
【００７５】
[第２の実施形態]
第２の実施形態にかかる画像形成装置３００の構成、並び動作は、第１の実施形態において説明した画像形成装置１００と略同一である。したがって、第２の実施形態の説明においては、第１の実施形態と同一な箇所には同一の符号を付してその説明を省略し、異なる箇所について説明する。
【００７６】
図１３は、第２の実施形態にかかる画像形成装置３００の機能構成を説明するためのブロック図である。画像形成装置３００を構成する読取装置３０１は、第１の実施形態における画像形成装置１００の主だった構成に加え、文字認識部１０５に変えて文字間認識部３０２と、画像方向判定部１０７に変えて画像方向判定部３０３と、ＲＯＭ１１４に変えてＲＯＭ３０４と、ＣＰＵ１１５に変えてＣＰＵ３０５とを備える。
【００７７】
文字間認識部３０２は、画像メモリ１０４に記憶されている、読取部１０２により生成された画像データに対して、行、並びに列をそれぞれ任意にいくつか選択し、選択したそれぞれの行、並びに列に対して既存の技術により文字間の認識処理を実行し、それぞれの行、若しくは列において文字間認識数の多い方を画像方法判定部３０３に出力する。
【００７８】
画像方向判定部３０３は、文字間認識部３０２から出力された行、若しくは列の通知に基づき、原稿サイズ認識部１０６により認識された原稿の向きから、画像の向きを表面、裏面のそれぞれで判定する。なお、当該判定は、以下のように行う。
【００７９】
画像の向きをＰｏｒｔｒａｉｔと判定する場合は、以下のＰ２１、Ｐ２２の２パターンがある。
（Ｐ２１）原稿の向きがＳＥＦであり、文字間認識部３０２からの通知が行である場合。
（Ｐ２２）原稿の向きがＬＥＦであり、文字間認識部３０２からの通知が列である場合。
【００８０】
また、画像の向きをＬａｎｄｓｃａｐｅと判定する場合は、以下のＬ２１、Ｌ２２の２パターンがある。
（Ｌ２１）原稿の向きがＳＥＦであり、文字間認識部３０２からの通知が列である場合。
（Ｌ２２）原稿の向きがＬＥＦであり、文字間認識部３０２からの通知が行である場合。
【００８１】
また、画像方向判定部３０３は、表面と裏面との両面の画像の向きを判定した場合には、それぞれの画像の向きにより原稿の綴じ方向の判定も行う。なお、画像方向判定部３０３による原稿の綴じ方向の判定は、第１の実施形態において説明した判定方法と同様に行うことができる。なお、図１４は、画像方向判定部３０３による画像の向きにかかる判定動作を示した図である。
【００８２】
ＲＯＭ３０４は、読取装置３０１の制御プログラムを記憶する不揮発性の記憶装置である。
【００８３】
ＣＰＵ３０５は、オペレーションパネル１１３を介してユーザにより入力された命令や、各種実行処理に基づき、ＲＯＭ３０４に記憶されている制御プログラムを実行することによって、読取装置３０１全体を統括的に制御するマイクロプロセッサである。
【００８４】
次に、上記構成を備える画像形成装置３００の動作について、図１５、及び図１６を用いて説明する。図１５は、文字間認識部３０２による文字間認識処理を説明する図である。さらに、図１６は、図１５に示すケースを一例に、画像形成装置３００が実行する動作全体の流れを説明するフローチャートである。なお、図１６に示すフローチャートが表す動作は、第１の実施形態の図９で説明した各ステップの動作と略同一であり、図９のステップＳ１０６が、図１６においては、ステップＳ２０１に置き換わり、図９のステップＳ１０８が、図１６においては、ステップＳ２０２に置き換わったのみである。したがって、図１６の説明においては、図１５に示す一例の場合について、文字間認識部３０２による文字間認識と、画像方向判定部３０３による画像の向きの判定について説明し、それ以外にかかる部分については、その説明を省略する。
【００８５】
図１６のステップＳ２０１において、文字間認識部３０２は、画像メモリ１０４に記憶されている、読取部１０２により生成された画像データに対して、行、並びに列をそれぞれ任意にいくつか選択し、選択したそれぞれの行、並びに列に対して既存の技術により文字間の認識処理を実行し、それぞれの行、若しくは列において文字間認識数の多い方を画像方法判定部３０３に出力する。図１５の例では、行、並びに列がそれぞれ任意に４つ選択されており、文字間認識部３０２が認識した文字間の数は、行が１０、列が３３である。したがって、文字間認識部３０３は、画像方向判定部３０３に対して列を出力する。
【００８６】
図１６のステップＳ２０２において、画像方向判定部３０３は、文字間認識部３０２から出力された行、若しくは列の通知に基づき、原稿サイズ認識部１０６により認識された原稿の向きから、画像の向きを表面、裏面のそれぞれで判定する。図１５の例では、原稿の向きはＬＥＦであり、文字間認識部３０２により列が通知されたことから、画像方向判定部３０３は、画像の向きをＰｏｒｔｒａｉｔと判定する（Ｐ２２パターン）。
【００８７】
以上のように、第２の実施形態によれば、第１の実施形態で用いたＯＣＲを用いずとも、第１の実施形態と略同等の効果が得られるとともに、画像形成装置の製造にかかるコストを削減することができる。
【００８８】
本発明にかかる実施形態の説明においては、画像形成装置としてコピー機を一例として説明したが、本発明はこれに限定されず、例えば、Ｓｃａｎ  ｔｏ  Ｅ−ｍａｉｌや、Ｓｃａｎ  ｔｏ  ＵＳＢ  ｍｅｍｏｒｙ等の機能を備える複合装置等にも適用可能である。
【符号の説明】
【００８９】
１００  画像形成装置
１０１  読取装置
１０１−１  ガイド
１０１−２  原稿給紙トレイ
１０２  読取部
１０２−１  長さセンサ
１０２−２  幅センサ
１０２−３  ピックアップローラ
１０２−４、１０２−５、１０２−６、１０２−７、１０２−８  スキャンローラ
１０２−９  スキャンセンサ
１０２−１０  読取センサ
１０２−１１  原稿反転経路スイッチ
１０３  ＡＤＦ制御部
１０４  画像メモリ
１０５  文字認識部
１０６  原稿サイズ認識部
１０７  原稿方向判定部
１０８  外部Ｉ／Ｆ
１０９  画像編集方法抽出表
１１０  画像編集方法抽出部
１１１  画像データ編集部
１１２  設定記憶部
１１３  オペレーションパネル
１１４  ＲＯＭ
１１５  ＣＰＵ
１１６  共通バス
１１７  ＵＳＢケーブル
２０１  印刷装置
２０２  記録紙サイズ認識部
２０３  印刷部
２０４  外部Ｉ／Ｆ
２０５  画像メモリ
２０６  ＲＯＭ
２０７  ＣＰＵ
２０８  共通バス
３００  画像形成装置
３０１  読取装置
３０２  文字間認識部
３０３  画像方向判定部
３０４  ＲＯＭ
３０５  ＣＰＵ
【図１】
2011203393.tif 000003
【図２】
2011203393.tif 000004
【図３】
2011203393.tif 000005
【図４】
2011203393.tif 000006
【図５−Ａ】
2011203393.tif 000007
【図５−Ｂ】
2011203393.tif 000008
【図５−Ｃ】
2011203393.tif 000009
【図５−Ｄ】
2011203393.tif 000010
【図５−Ｅ】
2011203393.tif 000011
【図６】
2011203393.tif 000012
【図７】
2011203393.tif 000013
【図８】
2011203393.tif 000014
【図９】
2011203393.tif 000015
【図１０】
2011203393.tif 000016
【図１１−Ａ】
2011203393.tif 000017
【図１１−Ｂ】
2011203393.tif 000018
【図１２】
2011203393.tif 000019
【図１３】
2011203393.tif 000020
【図１４】
2011203393.tif 000021
【図１５】
2011203393.tif 000022
【図１６】
2011203393.tif 000023